(57)【要約】【課題】人体の背中と飲料容器をそれぞれ冷却することができるとともに、飲料容器を取出すことなく水分の補給を行うことのできる人体用冷却具を提供する。【解決手段】冷却具本体１０を背中に背負うようにして使用することにより、冷却具本体１０内の保冷材４０によって飲料容器２０及び人体Ａの背中をそれぞれ冷却することができるので、例えば消防士が火災現場で消火活動を行う場合のように周囲が高温となる場所で作業する場合でも、保冷材４０によって体感温度の上昇を抑えることができるとともに、保冷材４０によって冷却された冷たい飲料を飲むことにより、水分の補給のみならず暑さ対策にも有効である。この場合、飲料容器２０に接続されたチューブ３０の吸口３１を口に咥えながら作業することにより、作業中であっても飲料容器２０を取出すことなく吸口３１から飲料を飲むことができる。【選択図】図６
0003135035.tif 000002
【実用新案登録請求の範囲】
【請求項１】
人体の背中に背負うように形成された袋状の冷却具本体と、冷却具本体に収納される飲料容器と、冷却具本体に収納される保冷材とを備え、保冷材によって飲料容器及び人体の背中をそれぞれ冷却するようにした人体用冷却具において、
前記飲料容器に一端を接続された飲料流通用のチューブを備え、
チューブの他端には口に咥えながら飲料容器の飲料を吸入可能な吸口を設けた
ことを特徴とする人体用冷却具。
【請求項２】
前記冷却具本体に、人体の両肩に掛ける一対の肩掛ベルトと、各肩掛ベルトを人体の前面側で着脱自在に連結する連結ベルトとを設けた
ことを特徴とする請求項１記載の人体用冷却具。
【請求項３】
前記冷却具本体に、人体の胴回りに延びる胴ベルトを設けた
ことを特徴とする請求項１または２記載の人体用冷却具。
【請求項４】
前記胴ベルトの少なくとも一部を伸縮性の部材によって形成した
ことを特徴とする請求項３記載の人体用冷却具。
【請求項５】
前記チューブに人体の着衣に固定可能な固定具を設けた
ことを特徴とする請求項１、２、３または４記載の人体用冷却具。
【考案の詳細な説明】
【技術分野】
【０００１】
本考案は、例えば火災現場で消火活動を行う消防士が背中に背負って使用する人体用冷却具に関するものである。
【背景技術】
【０００２】
従来、例えば消防士が火災現場で消火活動を行う場合など、周囲が高温となる場所においては、耐熱性の防火服等を着用していても体感温度は上昇するため、人体が過酷な暑さに晒され、場合によっては熱中症を発症するおそれもある。また、このような状況においては、発汗等により体内の水分が失われるため、水を飲むなどして水分を補給する必要もある。
【０００３】
そこで、従来では、リュックサック状の袋体に飲料容器と保冷材を収納し、保冷材によって飲料容器と人体の背中をそれぞれ冷却するようにしたものが知られている（例えば、特許文献１参照。）。
【特許文献１】実用新案登録第３１２６５４０号公報
【考案の開示】
【考案が解決しようとする課題】
【０００４】
前記リュックサック状の冷却具によれば、保冷材によって人体の背中が冷却されるので、体感温度の上昇を抑えることができるとともに、保冷材によって飲料容器も冷却されるため、飲料容器内の冷たい飲料を飲むことにより、水分の補給のみならず暑さ対策にも有効である。しかしながら、火災現場の消防士においては、瞬時を争う消火活動を行う関係上、背中の袋体から飲料容器を取出して飲む余裕がなく、火災現場における作業中に水分の補給をすることができないという問題点があった。
【０００５】
本考案は前記問題点に鑑みてなされたものであり、その目的とするところは、人体の背中と飲料容器をそれぞれ冷却することができるとともに、飲料容器を取出すことなく水分の補給を行うことのできる人体用冷却具を提供することにある。
【課題を解決するための手段】
【０００６】
本考案は前記目的を達成するために、人体の背中に背負うように形成された袋状の冷却具本体と、冷却具本体に収納される飲料容器と、冷却具本体に収納される保冷材とを備え、保冷材によって飲料容器及び人体の背中をそれぞれ冷却するようにした人体用冷却具において、前記飲料容器に一端を接続された飲料流通用のチューブを備え、チューブの他端には口に咥えながら飲料容器の飲料を吸入可能な吸口を設けている。
【０００７】
これにより、飲料容器と保冷材を冷却具本体に収納し、人体の背中に背負うようにして使用することにより、冷却具本体内の保冷材によって人体の背中と飲料容器がそれぞれ冷却される。その際、チューブの吸口を口に咥えながら作業することにより、作業中であっても吸口から飲料容器の飲料を飲むことができる。
【考案の効果】
【０００８】
本考案によれば、保冷材によって人体の背中と飲料容器をそれぞれ冷却することができるので、体感温度の上昇を抑えることができるとともに、保冷材によって冷却された冷たい飲料を飲むことにより、水分の補給のみならず暑さ対策にも有効である。この場合、飲料容器に接続されたチューブの吸口を口に咥えながら作業することにより、作業中であっても飲料容器を取出すことなく吸口から飲料を飲むことができるので、例えば火災現場で作業中の消防士に水分を補給する場合に極めて有利である。
【考案を実施するための最良の形態】
【０００９】
図１乃至図６は本考案の一実施形態を示すもので、図１は人体用冷却具の一部断面側面図、図２はその分解斜視図、図３は吸口の側面断面図、図４はその正面図、図５は保冷材収納袋及び保冷材の斜視図、図６は使用状態を示す図である。
【００１０】
この人体用冷却具は、人体Ａの背中に背負うように形成された冷却具本体１０と、冷却具本体１０に収納される飲料容器２０と、飲料容器２０に一端を接続された飲料流通用のチューブ３０と、冷却具本体１０に収納される複数の保冷材４０とを備え、保冷材４０によって飲料容器２０及び人体Ａの背中をそれぞれ冷却するようになっている。
【００１１】
冷却具本体１０は上端を開口した袋状に形成され、ナイロン等の化学繊維からなる生地を縫製することによって形成されている。冷却具本体１０の上部には上端開口部を開閉する蓋部１１が設けられ、蓋部１１は面ファスナからなる結合部材１１ａによって冷却具本体１０の外面側に着脱自在に結合するようになっている。冷却具本体１０にはその内部を前後に仕切る仕切部１２が設けられ、仕切部１２の前方には保冷材４０が収納されるとともに、仕切部１２の後方には飲料容器２０が収納されるようになっている。また、冷却具本体１０は、人体Ａの両肩に掛ける一対の肩掛ベルト１３と、各肩掛ベルト１３を人体Ａの胸部前面側で連結する連結ベルト１４と、人体Ａの胴周りに延びる胴ベルト１５とを備えている。肩掛ベルト１３は一端を冷却具本体１０の前面側上部に接続され、その他端を冷却具本体１０の前面側下部に接続されている。連結ベルト１４は、両端を各肩掛ベルト１３にそれぞれ接続され、バックル１４ａによって左右に分離可能に連結されている。胴ベルト１５は冷却具本体１０の前面側下部に接続され、バックル１５ａによって左右に分離可能に連結されている。また、胴ベルト１５の一部は、ゴム紐等からなる伸縮部１５ｂによって伸縮自在に形成されている。
【００１２】
飲料容器２０は上端を開口した可撓性の容器からなり、その上端には開口部を開閉する開閉部２１が設けられている。開閉部２１は飲料容器２０の幅方向に亘って形成され、指先等で押圧することにより結合する周知のファスナによって密閉されるようになっている。
【００１３】
チューブ３０は可撓性の管状部材からなり、その一端は飲料容器２０の下部に接続されて飲料容器２０内に連通している。チューブ３０の他端には口に咥えながら飲料容器２０内の飲料を吸入可能な周知の吸口３１が設けられ、吸口３１はチューブ３０に対してＬ字状に屈曲している。吸口３１は先端を閉塞した中空状のゴムからなり、その先端には上下方向に延びる切り込み３１ａが設けられている。即ち、この吸口３１は、図３(a) に示すように口に咥えて歯や唇で上下方向から圧縮すると、図３(b) に示すように切り込み３１ａが左右方向に開き、切り込み３１ａから飲料が流出するようになっている。また、チューブ３０の他端側には人体Ａの着衣に固定可能な固定具３２が設けられ、固定具３２は周知のクリップ状に形成されている。
【００１４】
保冷材４０は、周知の保冷材パックや板状のドライアイス等からなり、保冷材収納袋４１に収納されている。保冷材収納袋４１は一端を開口した袋状に形成され、保冷材４０を上下に並べて収納するようになっている。保冷材収納袋４１の一端側には開口部を開閉する蓋部４１ａが設けられ、蓋部４１ａは面ファスナからなる結合部材４１ｂによって保冷材収納袋４１の外面側に着脱自在に結合するようになっている。
【００１５】
以上のように構成された人体用冷却具は、例えばミネラルウォーター等の飲料の入った飲料容器２０と、保冷材４０を収納した保冷材収納袋４１とを冷却具本体１０に収納するとともに、チューブ３０の他端側を冷却具本体１０の外部に配置し、図６に示すように人体Ａの背中に背負うようにして使用される。これにより、人体Ａの背中と飲料容器２０との間に配置された保冷材４０によって人体Ａの背中と飲料容器２０がそれぞれ冷却される。その際、チューブ３０の吸口３１を口に咥えながら作業することにより、作業中であっても吸口３１から飲料容器２０の飲料を飲むことができる。
【００１６】
このように、本実施形態の人体用冷却具によれば、冷却具本体１０を背中に背負うようにして使用することにより、冷却具本体１０内の保冷材４０によって飲料容器２０及び人体Ａの背中をそれぞれ冷却することができるので、例えば消防士が火災現場で消火活動を行う場合のように周囲が高温となる場所で作業する場合でも、保冷材４０によって体感温度の上昇を抑えることができるとともに、保冷材４０によって冷却された冷たい飲料を飲むことにより、水分の補給のみならず暑さ対策にも有効である。この場合、飲料容器２０に接続されたチューブ３０の吸口３１を口に咥えながら作業することにより、作業中であっても飲料容器２０を取出すことなく吸口３１から飲料を飲むことができるので、例えば火災現場で作業中の消防士に水分を補給する場合に極めて有利である。
【００１７】
また、一対の肩掛ベルト１３を人体Ａの両肩に掛けるとともに、各肩掛ベルト１３を連結ベルト１４によって人体Ａの前面側で連結するようにしたので、各肩掛ベルト１３が人体Ａの肩から外れることがなく、冷却具本体１０を人体Ａの背中に確実に保持することができる。
【００１８】
更に、人体Ａの胴回りに延びる胴ベルト１５を備えているので、各肩掛ベルト１３のみならず、胴ベルト１５によっても冷却具本体１０を人体Ａの背中に保持することができ、冷却具本体１０の脱落を確実に防止することができる。
【００１９】
また、胴ベルト１５の一部を伸縮部１５ａによって形成したので、胴ベルト１５を弛みなく人体Ａに装着することができ、冷却具本体１０を人体Ａに確実に保持することができる。
【００２０】
更に、チューブ３０の他端側に設けた固定具３２を人体Ａの着衣の襟等に固定することにより、吸口３１を口に咥えていない場合でも吸口３１を口の近傍に配置することができるので、吸口３１を口に咥え直す場合に極めて有利である。
【００２１】
尚、前記実施形態では、火災現場で作業する消防士が使用する場合を例示したが、本考案の人体用冷却具はこのような用途に限られず、例えばランニングや登山等のスポーツ、或いは医療や介護等、各種の用途に使用することができる。
【図面の簡単な説明】
【００２２】
【図１】本考案の一実施形態を示す人体用冷却具の一部断面側面図
【図２】人体用冷却具の分解斜視図
【図３】吸口の側面断面図
【図４】吸口の正面図
【図５】保冷材収納袋及び保冷材の斜視図
【図６】使用状態を示す図
【符号の説明】
【００２３】
１０…冷却具本体、１３…肩掛ベルト、１４…連結ベルト、１５…胴ベルト、１５ａ…伸縮部、２０…飲料容器、３０…チューブ、３１…吸口、３２…固定具、４０…保冷材、４１…保冷材収納袋。
【図１】
0003135035.tif 000003
【図２】
0003135035.tif 000004
【図３】
0003135035.tif 000005
【図４】
0003135035.tif 000006
【図５】
0003135035.tif 000007
【図６】
0003135035.tif 000008